(57)【要約】  端末の利用サービスに応じて割り当てるべきスライスを選択するための情報の一例であるＭＭＥＧＩに対応付けて、ＲＡＮ接続設定のためのパラメータ情報を記憶したテーブルを備えた基地局（ｅＮＢ）は、アタッチリクエスト（又はＴＡＵリクエスト）を端末（ＵＥ）から受信し（Ｓ１）、端末のサービス利用に関するUE  Usage  type（例えば端末の移動度、サービス要求品質など））に応じて選択されるべきＭＭＥＧＩをコアネットワークに要求して取得し（Ｓ６）、取得されたＭＭＥＧＩに基づいて端末と基地局（ｅＮＢ）とのＲＡＮ接続方法を決定し（Ｓ８）、上記ＭＭＥＧＩに対応するパラメータ情報を上記テーブルから取得し該パラメータ情報を端末に通知することで、上記決定されたＲＡＮ接続方法によって端末とＲＡＮ接続するよう制御する（Ｓ９〜Ｓ１２）。
2018131453.tif 000002
【特許請求の範囲】
【請求項１】
端末の利用サービスに応じて割り当てるべきスライスを選択するための情報に対応付けて、前記端末とのＲＡＮ接続を設定するためのパラメータ情報を記憶したテーブル、を備える基地局、によって実行されるＲＡＮ接続制御方法であって、
アタッチリクエスト又は位置登録情報更新リクエストを前記端末から受信する受信ステップと、
前記受信ステップにより前記アタッチリクエスト又は前記位置登録情報更新リクエストが受信された場合に、前記端末の利用サービスに応じて割り当てるべきスライスを選択するための情報を、コアネットワークに要求して取得する取得ステップと、
前記取得ステップにより取得された前記スライスを選択するための情報に基づいて前記端末とのＲＡＮ接続方法を決定する決定ステップと、
前記スライスを選択するための情報に対応する前記パラメータ情報を前記テーブルから取得し該パラメータ情報を前記端末に通知することで、前記決定ステップにより決定された前記ＲＡＮ接続方法によって前記端末とＲＡＮ接続するよう制御する制御ステップと、
を備えるＲＡＮ接続制御方法。
【請求項２】
前記制御ステップにおいて、前記基地局は、
前記端末との従前のＲＡＮ接続を保持したまま新たなＲＡＮ接続を行う、又は、
前記端末との従前のＲＡＮ接続を切断した上で新たなＲＡＮ接続を行う、
請求項１に記載の接続制御方法。
【請求項３】
前記パラメータ情報は、
前記端末により利用可能な無線通信周波数帯の情報、および、
前記端末により利用される無線通信区間のＭＡＣ層における優先度情報、
の少なくとも１つを含む、請求項１又は２に記載の接続制御方法。
【請求項４】
前記パラメータ情報は、
前記端末により許容可能な遅延時間情報およびパケット破棄の可否に係る情報の少なくとも１つを含む予備パラメータ、
をさらに含む、請求項３に記載の接続制御方法。
【請求項５】
前記パラメータ情報は、
前記端末がセルラ通信網および非セルラ通信網のうちどちらにＲＡＮ接続するかに関する情報、
を含む、請求項１〜４の何れか一項に記載の接続制御方法。
【請求項６】
端末の利用サービスに応じて割り当てるべきスライスを選択するための情報に対応付けて、前記端末とのＲＡＮ接続を設定するためのパラメータ情報を記憶したテーブルと、
アタッチリクエスト又は位置登録情報更新リクエストを前記端末から受信する受信部と、
前記受信部により前記アタッチリクエスト又は前記位置登録情報更新リクエストが受信された場合に、前記端末の利用サービスに応じて割り当てるべきスライスを選択するための情報を、コアネットワークに要求して取得する取得部と、
前記取得部により取得された前記スライスを選択するための情報に基づいて前記端末とのＲＡＮ接続方法を決定する決定部と、
前記スライスを選択するための情報に対応する前記パラメータ情報を前記テーブルから取得し該パラメータ情報を前記端末に通知することで、前記決定部により決定された前記ＲＡＮ接続方法によって前記端末とＲＡＮ接続するよう制御する制御部と、
を備える基地局。
【発明の詳細な説明】
【技術分野】
【０００１】
本発明は、ＲＡＮ接続制御方法および基地局に関する。
【背景技術】
【０００２】
近年、ネットワークにおけるサービス品質に関する指標として、ネットワーク上で提供されるサービスについて端末ユーザにより体感される品質を示すＱｏＥ（Quality  of  Experience）が重要視されている。そのため、第５世代（５Ｇ（5th  Generation））ネットワーク時代において端末ユーザ毎のＱｏＥを高いレベルに維持するためには、ネットワークインフラ上に論理的に生成される仮想ネットワークであるスライスを選択する際にコアネットワークに加え無線アクセス網（Radio  Access  Network（以下「ＲＡＮ」と称する））における品質も考慮したエンドツーエンド（end  to  end：E2E）の品質管理が重要となる。実際にコアネットワークにおいては遅延が発生することは殆ど無いため、端末ユーザ毎のＱｏＥを考慮してＲＡＮにおいて発生する遅延を抑える必要がある。
【先行技術文献】
【非特許文献】
【０００３】
【非特許文献１】３ＧＰＰ  ＴＳ  ２３．４０１
【発明の概要】
【発明が解決しようとする課題】
【０００４】
現在、非特許文献１にて提案されている規格では、例えば、端末の電源オン時などに端末から基地局へattach要求した場合等に、基地局は、コアネットワーク内のＭＭＥ（Mobility  Management  Entity）から通知されるＭＭＥグループ識別情報（MME  Group  Identifier（以下「ＭＭＥＧＩ」と称する））に基づいてスライス選択を行い、サービス要件を満たすコアネットワーク（具体的にはＭＭＥＧＩに応じて選択されるＭＭＥ）に上記端末をリダイレクトする処理を行う。【０００５】
しかし、非特許文献１では、端末と基地局間のＲＡＮにおける無線通信接続方法（以下「ＲＡＮ接続方法」という）を制御する点までは提案されておらず、ＲＡＮでは、いわゆるベストエフォート手法に基づく接続制御が行われるだけであり、端末ユーザ毎のＱｏＥを考慮したＲＡＮ接続方法の制御については改良の余地があった。【０００６】
本発明は、上記課題を解決するために成されたものであり、ＲＡＮ接続方法を適切に制御し、端末ユーザ毎のＱｏＥ向上を図ることを目的とする。
【課題を解決するための手段】
【０００７】
本発明の一実施形態に係るＲＡＮ接続制御方法は、端末の利用サービスに応じて割り当てるべきスライスを選択するための情報に対応付けて、前記端末とのＲＡＮ接続を設定するためのパラメータ情報を記憶したテーブル、を備える基地局、によって実行されるＲＡＮ接続制御方法であって、アタッチリクエスト又は位置登録情報更新リクエストを前記端末から受信する受信ステップと、前記受信ステップにより前記アタッチリクエスト又は前記位置登録情報更新リクエストが受信された場合に、前記端末の利用サービスに応じて割り当てるべきスライスを選択するための情報を、コアネットワークに要求して取得する取得ステップと、前記取得ステップにより取得された前記スライスを選択するための情報に基づいて前記端末とのＲＡＮ接続方法を決定する決定ステップと、前記スライスを選択するための情報に対応する前記パラメータ情報を前記テーブルから取得し該パラメータ情報を前記端末に通知することで、前記決定ステップにより決定された前記ＲＡＮ接続方法によって前記端末とＲＡＮ接続するよう制御する制御ステップと、を備える。【０００８】
上記の本発明の一実施形態に係るＲＡＮ接続制御方法によれば、基地局は、アタッチリクエスト又は位置登録情報更新リクエストを端末から受信した場合に、端末の利用サービスに応じて割り当てるべきスライスを選択するための情報を、コアネットワークに要求して取得し、取得された上記スライスを選択するための情報に基づいて端末とのＲＡＮ接続方法を決定し、そして、上記スライスを選択するための情報に対応するパラメータ情報をテーブルから取得し該パラメータ情報を端末に通知することで、上記決定されたＲＡＮ接続方法によって端末とＲＡＮ接続するよう制御する。これにより、コアネットワークから取得した上記スライスを選択するための情報に基づいて適切なＲＡＮ接続方法を決定するとともに、予め上記スライスを選択するための情報に対応付けて記憶されたパラメータ情報（即ち、端末と基地局とのＲＡＮ接続を設定するためのパラメータ情報）とコアネットワークから取得された上記スライスを選択するための情報とを用いて、上記端末にとって適切なパラメータ情報を取得し、該パラメータ情報を端末に通知することで上記適切なＲＡＮ接続方法によって端末とＲＡＮ接続するよう制御することができる。よって、ＲＡＮ接続方法を適切に制御し、端末ユーザ毎のＱｏＥ向上を図ることができる。なお、上記の「スライスを選択するための情報」としては、上述したＭＭＥＧＩを用いることができ、さらに、例えば３ＧＰＰ  ＴＲ  ２３．７９９に提案された次世代ネットワークにおけるＤＣＮ（Dedicated  Core  Network）識別情報（いわゆるDCN-ID）、該DCN-IDに対応付けられるService  TypeおよびＤＮＮ（Domain  Network  Name）等を用いることができる。【０００９】
また、上記のＲＡＮ接続制御方法に係る本発明の一実施形態は、基地局に係る発明として捉えることもでき、以下のように記述できる。下記の基地局に係る発明も同様の作用・効果を奏する。【００１０】
本発明の一実施形態に係る基地局は、端末の利用サービスに応じて割り当てるべきスライスを選択するための情報に対応付けて、前記端末とのＲＡＮ接続を設定するためのパラメータ情報を記憶したテーブルと、アタッチリクエスト又は位置登録情報更新リクエストを前記端末から受信する受信部と、前記受信部により前記アタッチリクエスト又は前記位置登録情報更新リクエストが受信された場合に、前記端末の利用サービスに応じて割り当てるべきスライスを選択するための情報を、コアネットワークに要求して取得する取得部と、前記取得部により取得された前記スライスを選択するための情報に基づいて前記端末とのＲＡＮ接続方法を決定する決定部と、前記スライスを選択するための情報に対応する前記パラメータ情報を前記テーブルから取得し該パラメータ情報を前記端末に通知することで、前記決定部により決定された前記ＲＡＮ接続方法によって前記端末とＲＡＮ接続するよう制御する制御部と、を備える。
【発明の効果】
【００１１】
本発明によれば、ＲＡＮ接続方法を適切に制御し、端末ユーザ毎のＱｏＥ向上を図ることができる。
【図面の簡単な説明】
【００１２】
【図１】本発明の一実施形態に係る通信システムの構成例を示す図である。
【図２】基地局が保持するテーブルのデータ例を示す図である。
【図３】各装置のハードウェア構成例を示す図である。
【図４】端末からアタッチリクエストが送信された場合の処理例を示すシーケンス図である。
【図５】端末から位置登録情報更新（ＴＡＵ）リクエストが送信された場合の処理例を示すシーケンス図である。
【発明を実施するための形態】
【００１３】
以下、図面を参照しながら、本発明の一実施形態について説明する。
【００１４】
［発明の実施形態に係る通信システムおよび各装置の構成の説明］
図１に示すように本発明の一実施形態に係る通信システムは、端末（User  Equipment（以下「ＵＥ」ともいう））１０と、ＲＡＮにおける基地局に相当するｅＮｏｄｅＢ（以下「ｅＮＢ」という）２０と、複数のＭＭＥ（Mobility  Management  Entity）３０と、ＨＳＳ（Home  Subscriber  Server）６０と、複数のＳＧＷ（Serving  gateway）４０と、ＳＧＷ４０の上流側に位置する複数のＰＧＷ（Packet  data  network  gateway）５０と、を含んで構成されている。
【００１５】
ＭＭＥ３０は、ネットワークに在圏するＵＥ１０の位置管理、認証制御、通信経路設定等の処理を行う装置であり、特許請求の範囲に記載された「処理サーバ」に対応する。ＨＳＳ６０は、端末ユーザのユーザ情報（加入者情報）を管理する装置である。ＳＧＷ４０は、ＬＴＥ（Long  Term  Evolution）を収容する在圏パケット交換機の機能を果たすゲートウェイ装置であり、ＵＥ１０により利用される通信サービスの要件に対応して一又は複数のＳＧＷ４０が設けられる。ＰＧＷ５０は、ＰＤＮ（Packet  data  network）との接合点であり、ＩＰアドレスの割当て、ＳＧＷへのパケット転送などを行うゲートウェイ装置である。
【００１６】
さて、本発明に関連する機能ブロックとして、ｅＮＢ２０は、ＲＡＮ接続を設定するためのパラメータ情報が、ＵＥ１０の利用サービスに応じて割り当てるべきスライスを選択するための情報の一例であるMME  Group  Identifier（以下「ＭＭＥＧＩ」という）に対応付けて記憶されたテーブル２１と、位置登録情報更新（Tracking  Area  Update）リクエスト（以下「ＴＡＵリクエスト」という）又はアタッチリクエストをＵＥ１０から受信する受信部２２と、受信部２２によりＴＡＵリクエスト又はアタッチリクエストが受信された場合に、ＵＥ１０のサービス利用に関する利用タイプ情報（以下「UE  Usage  type」という。例えばＵＥ１０の移動度、サービス要求品質などを含む））に応じてＵＥ１０に割り当てるべきスライスを選択するための情報（ここではＭＭＥＧＩ）を、コアネットワークに要求して取得する取得部２３と、取得部２３により取得されたＭＭＥＧＩに基づいてＵＥ１０とｅＮＢ２０間のＲＡＮ接続方法を決定する決定部２４と、ＭＭＥＧＩに対応するパラメータ情報をテーブル２１から取得し該パラメータ情報をＵＥ１０に通知することで、上記決定部２４により決定されたＲＡＮ接続方法によってＵＥ１０とｅＮＢ２０間でＲＡＮ接続するよう制御する制御部２５と、を備える。
【００１７】
図２には、ｅＮＢ２０が保持するテーブル２１のデータ例を示す。この図２に示すように、テーブル２１には、ＲＡＮ接続を設定するためのパラメータ情報として、例えば、端末により利用可能な無線通信周波数帯の情報、および端末により利用される無線通信区間のＭＡＣ層における優先度情報がＭＭＥＧＩに対応付けて記憶されている。このような多様なパラメータ情報を用いることで好適なＲＡＮ接続方法を選択することが可能となる。
【００１８】
また、パラメータ情報としては、さらに、端末により許容可能な遅延時間情報、パケット破棄の可否に係る情報、これらの組合せに関する情報などを含んだ予備パラメータ、をテーブル２１に含めても良い。この場合、柔軟な優先度制御を行うことが可能となる。
【００１９】
ここで、図３を参照して、本発明の「基地局」に相当するｅＮＢ２０のハードウェア構成の一例について説明する。ｅＮＢ２０は、物理的には、プロセッサ２０Ａ、メモリ２０Ｂ、ストレージ２０Ｃ、通信モジュール２０Ｄ、入力装置２０Ｅ、出力装置２０Ｆ、バス２０Ｇなどを含むコンピュータ装置として構成されてもよい。ｅＮＢ２０の機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、有線及び／又は無線で相互にリンクした物理的及び／又は論理的に分離した２つ以上の装置により実現されてもよい。なお、以下で説明するハードウェア構成例は、ｅＮＢ２０に限らず、図１に示すＨＳＳ６０、ＰＧＷ５０、ＳＧＷ４０、ＭＭＥ３０、ＵＥ１０において採用してもよい。
【００２０】
なお、以下の説明では、「装置」という文言は、回路、デバイス、ユニットなどに読み替えることができる。ｅＮＢ２０のハードウェア構成は、図に示した各装置を１つ又は複数含むように構成されてもよいし、一部の装置を含まずに構成されてもよい。
【００２１】
ｅＮＢ２０における各機能は、プロセッサ２０Ａ、メモリ２０Ｂなどのハードウェア上に所定のソフトウェア（プログラム）を読み込ませることで、プロセッサ２０Ａが演算を行い、通信モジュール２０Ｄによる通信、メモリ２０Ｂ及びストレージ２０Ｃにおけるデータの読み出し及び／又は書き込みを制御することで実現される。
【００２２】
プロセッサ２０Ａは、例えば、オペレーティングシステムを動作させてコンピュータ全体を制御する。プロセッサ２０Ａは、周辺装置とのインターフェース、制御装置、演算装置、レジスタなどを含む中央処理装置（ＣＰＵ：Central  Processing  Unit）で構成されてもよい。
【００２３】
また、プロセッサ２０Ａは、プログラム（プログラムコード）、ソフトウェアモジュール及びデータを、ストレージ２０Ｃ及び／又は通信モジュール２０Ｄからメモリ２０Ｂに読み出し、これらに従って各種の処理を実行する。プログラムとしては、上述の実施の形態で説明した動作の少なくとも一部をコンピュータに実行させるプログラムが用いられる。例えば、受信部２２、取得部２３、決定部２４、制御部２５などは、メモリ２０Ｂに格納されプロセッサ２０Ａにより実行される制御プログラムによって実現されてもよく、他の機能ブロックについても同様に実現されてもよい。上述の各種処理は、１つのプロセッサ２０Ａにより実行される旨を説明してきたが、２以上のプロセッサ２０Ａにより同時又は逐次に実行されてもよい。プロセッサ２０Ａは、１以上のチップで実装されてもよい。なお、プログラムは、電気通信回線を介してネットワークから送信されてもよい。
【００２４】
メモリ２０Ｂは、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically  Erasable  Programmable  ＲＯＭ）、ＲＡＭ（Random  Access  Memory）などの少なくとも１つで構成されてもよい。メモリ２０Ｂは、レジスタ、キャッシュ、メインメモリ（主記憶装置）などと呼ばれてもよい。メモリ２０Ｂは、本発明の一実施の形態に係る無線通信方法を実施するために実行可能なプログラム（プログラムコード）、ソフトウェアモジュールなどを保存することができる。
【００２５】
ストレージ２０Ｃは、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ２０Ｃは、補助記憶装置と呼ばれてもよい。上述の記憶媒体は、例えば、メモリ２０Ｂ及び／又はストレージ２０Ｃを含むデータベース、サーバその他の適切な媒体であってもよい。
【００２６】
通信モジュール２０Ｄは、有線及び／又は無線ネットワークを介してコンピュータ間の通信を行うためのハードウェア（送受信デバイス）であり、例えばネットワークデバイス、ネットワークコントローラ、ネットワークカードなどともいう。
【００２７】
入力装置２０Ｅは、外部からの入力を受け付ける入力デバイスである。出力装置２０Ｆは、外部への出力を実施する出力デバイス（例えば、ディスプレイ、スピーカー、LEDランプなど）である。なお、入力装置２０Ｅ及び出力装置２０Ｆは、一体となった構成（例えば、タッチパネル）であってもよい。
【００２８】
また、プロセッサ２０Ａ、メモリ２０Ｂなどの各装置は、情報を通信するためのバス２０Ｇで接続される。バス２０Ｇは、単一のバスで構成されてもよいし、装置間で異なるバスで構成されてもよい。
【００２９】
また、ｅＮＢ２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ２０Ａは、これらのハードウェアの少なくとも１つで実装されてもよい。
【００３０】
［発明の実施形態に係る処理内容の説明］
以下、本発明のＲＡＮ接続制御方法に係る処理内容を説明する。
【００３１】
（図４：ＵＥからアタッチリクエストが送信された場合の処理例）
まず、図４を用いて、例えばＵＥの電源オン等をトリガーにしてＵＥからアタッチリクエストが送信された場合の処理例を説明する。図４の処理では、図１のＭＭＥ３０として、ｅＮＢに予め対応付けられたデフォルトＭＭＥと、後述の処理で選択されるＭＭＥＧＩに対応するＭＭＥ（選択されたＭＭＥ）とが関与するため、これらをそれぞれ「デフォルトＭＭＥ」、「選択されたＭＭＥ」と称する。
【００３２】
図４に示すように、ｅＮＢは、アタッチリクエストをＵＥから受信すると（ステップＳ１）、当該アタッチリクエストをデフォルトＭＭＥへ転送し（ステップＳ２）、３ＧＰＰに規定された既存シーケンス（ステップＳ３〜Ｓ６）を経てＭＭＥＧＩを取得する。具体的に、デフォルトＭＭＥは、上記アタッチリクエストを受信した後、ＵＥの認証情報を得るためにauthentication  information  requestをＨＳＳに送り（ステップＳ３）、その応答として、UE  usage  typeを含んだauthentication  information  responseをＨＳＳから受信する（ステップＳ４）。そして、デフォルトＭＭＥは、受信したUE  usage  typeに応じて割り当てるべきスライス（即ち、ＨＳＳに登録されたＵＥの利用サービスに対応したスライス）を選択するための情報（ここではＭＭＥＧＩ）を選択し（ステップＳ５）、選択されたＭＭＥＧＩとアタッチメッセージとを含んだreroute  NAS  requestをｅＮＢへ送信する（ステップＳ６）。これにより、ｅＮＢは、UE  usage  typeに応じて選択されるべきＭＭＥＧＩを取得することができる。
【００３３】
以後、ｅＮＢは、既存シーケンスのＮＮＳＦ（NAS  Node  Selection  Function）に基づく処理（例えばＵＥへのサービスのためのネットワーク資源割当てなど）（ステップＳ７）の実行後、上記取得されたＭＭＥＧＩに基づいてＵＥとｅＮＢ間のＲＡＮ接続方法を決定し（ステップＳ８）、そして、上記取得されたＭＭＥＧＩに対応するパラメータ情報を図２のテーブル２１から取得して該パラメータ情報をＵＥに通知することで、上記決定されたＲＡＮ接続方法によってＵＥとｅＮＢ間でＲＡＮ接続するよう制御する（ステップＳ９〜Ｓ１１）。
【００３４】
具体的には、ｅＮＢは、ステップＳ８で決定したＲＡＮ接続方法に変更するようＵＥに指示し（ステップＳ９）、ＵＥから肯定応答を受信した後（ステップＳ１０）、決定されたＲＡＮ接続方法への変更処理を行う（ステップＳ１１）。例えば、図２の例において、ｅＮＢがＭＭＥＧＩとして「ＭＭＥＧＩ１」を取得した場合、ＵＥが利用可能な無線通信周波数帯として「フル」、無線通信区間のＭＡＣ層における優先度として「高」というサービス要件を満たすようＲＡＮ接続方法が変更される。また、ｅＮＢがＭＭＥＧＩとして「ＭＭＥＧＩ３」を取得した場合、ＵＥが利用可能な無線通信周波数帯として「ベストエフォート」、無線通信区間のＭＡＣ層における優先度として「中」というサービス要件を満たすようＲＡＮ接続方法が変更される。
【００３５】
さらに、ｅＮＢは、上記取得されたＭＭＥＧＩに対応するＭＭＥ（即ち、UE  usage  typeに応じて割り当てられるスライスに対応するＭＭＥ；図４では「選択されたＭＭＥ」と記載）に、アタッチリクエストとＭＭＥＧＩとを含んだinitial  UE  messageを送信する（ステップＳ１２）。以後、既存シーケンスと同様に、上記選択されたＭＭＥにより、ＵＥおよびｅＮＢは、ＵＥのサービス要件を満たす好適なコアネットワーク（図１のＳＧＷおよびＰＧＷ）へリダイレクトされる。
【００３６】
以上の処理により、ＲＡＮにおける品質も加えたエンドツーエンドの品質を考慮してＲＡＮ接続方法を適切に制御し、端末ユーザ毎のＱｏＥ向上を図ることができる。
【００３７】
なお、上記のコアネットワークへのリダイレクトの際に、ｅＮＢは、端末との従前のＲＡＮ接続を保持したまま新たなＲＡＮ接続を行ってもよいし、又は、端末との従前のＲＡＮ接続を切断した上で新たなＲＡＮ接続を行ってもよい。このように従前のＲＡＮ接続の保持又は切断を選択的に行うことで柔軟な制御が可能となる。なお、端末との従前のＲＡＮ接続を保持したまま新たなＲＡＮ接続を行う制御、および、端末との従前のＲＡＮ接続を切断した上で新たなＲＡＮ接続を行う制御はそれぞれ、既存のプロトコルにより実行可能である。
【００３８】
（図５：ＵＥからＴＡＵリクエストが送信された場合の処理例）
次に、図５を用いて、例えばＵＥが位置登録エリア（Tracking  Area）を跨ぐ移動をした事等をトリガーにしてＵＥからＴＡＵリクエストが送信された場合の処理例を説明する。図５の処理では、図１のＭＭＥ３０として、図４と同様のデフォルトＭＭＥと、移動前のＵＥへのサービス提供に関わっていた旧ＭＭＥと、後述の処理で選択されるＭＭＥＧＩに対応するＭＭＥ（選択されたＭＭＥ）とが関与するため、これらをそれぞれ「デフォルトＭＭＥ」、「旧ＭＭＥ」、「選択されたＭＭＥ」と称する。
【００３９】
図５に示すように、ｅＮＢは、ＵＥからＴＡＵリクエストを受信すると（ステップＳ２１）、当該ＴＡＵリクエストをデフォルトＭＭＥへ転送し（ステップＳ２２）、３ＧＰＰに規定された既存シーケンス（ステップＳ２３〜Ｓ２６）を経てＭＭＥＧＩを取得する。具体的に、デフォルトＭＭＥは、上記ＴＡＵリクエストを受信した後、旧ＭＭＥおよびＵＥの情報を得るためにidentification/context  requestを旧ＭＭＥに送り（ステップＳ２３）、その応答として、UE  usage  typeを含んだidentification/context  responseを旧ＭＭＥから受信する（ステップＳ２４）。そして、デフォルトＭＭＥは、受信したＵＥ  usage  typeに応じて割り当てるべきスライス（即ち、移動前のＵＥの利用サービスを引き継ぐべきスライス）を選択するための情報（ここではＭＭＥＧＩ）を選択し（ステップＳ２５）、選択されたＭＭＥＧＩとＴＡＵメッセージとを含んだreroute  NAS  requestをｅＮＢへ送信する（ステップＳ２６）。これにより、ｅＮＢは、UE  usage  typeに応じて選択されるべきＭＭＥＧＩを取得することができる。
【００４０】
以後、ｅＮＢは、既存シーケンスのＮＮＳＦ（NAS  Node  Selection  Function）に基づく処理（例えばＵＥへのサービスのためのネットワーク資源割当てなど）（ステップＳ２７）の実行後、上記取得されたＭＭＥＧＩに基づいてＵＥとｅＮＢ間のＲＡＮ接続方法を決定し（ステップＳ２８）、そして、上記取得されたＭＭＥＧＩに対応するパラメータ情報を図２のテーブル２１から取得して該パラメータ情報をＵＥに通知することで、上記決定されたＲＡＮ接続方法によってＵＥとｅＮＢ間でＲＡＮ接続するよう制御する（ステップＳ２９〜Ｓ３１）。
【００４１】
具体的には、ｅＮＢは、ステップＳ２８で決定したＲＡＮ接続方法に変更するようＵＥに指示し（ステップＳ２９）、ＵＥから肯定応答を受信した後（ステップＳ３０）、決定されたＲＡＮ接続方法への変更処理を行う（ステップＳ３１）。ここでの変更処理は、前述した図４の処理と同様である。
【００４２】
さらに、ｅＮＢは、上記取得されたＭＭＥＧＩに対応するＭＭＥ（即ち、UE  usage  typeに応じて割り当てられるスライスに対応するＭＭＥ；図５では「選択されたＭＭＥ」と記載）に、ＴＡＵリクエストとＭＭＥＧＩとを含んだinitial  UE  messageを送信する（ステップＳ３２）。以後、既存シーケンスと同様に、上記選択されたＭＭＥにより、ＵＥおよびｅＮＢは、ＵＥのサービス要件を満たす好適なコアネットワーク（図１のＳＧＷおよびＰＧＷ）へリダイレクトされる。
【００４３】
以上の処理により、ＲＡＮにおける品質も加えたエンドツーエンドの品質を考慮してＲＡＮ接続方法を適切に制御し、端末ユーザ毎のＱｏＥ向上を図ることができる。
【００４４】
なお、図４の処理と同様に、上記のコアネットワークへのリダイレクトの際に、ｅＮＢは、端末との従前のＲＡＮ接続を保持したまま新たなＲＡＮ接続を行ってもよいし、又は、端末との従前のＲＡＮ接続を切断した上で新たなＲＡＮ接続を行ってもよい。このように従前のＲＡＮ接続の保持又は切断を選択的に行うことで柔軟な制御が可能となる。
【００４５】
また、上記実施形態では、３ＧＰＰ  ＴＳ  ２３．４０１に提案された規格をベースとしたネットワークに本発明を適用した実施形態を説明したが、本発明は、例えば３ＧＰＰ  ＴＲ  ２３．７９９に提案された次世代ネットワークにも適用可能である。具体的には、上記実施形態では、端末の利用サービスに応じて割り当てるべきスライスを選択するための情報の一例として、ＭＭＥＧＩを用いた処理を説明したが、本発明を次世代ネットワークに適用する場合、上記スライスを選択するための情報として、上記ＭＭＥＧＩに代わり、ＤＣＮ（Dedicated  Core  Network）識別情報（いわゆるDCN-ID）、該DCN-IDに対応付けられるService  TypeおよびＤＮＮ（Domain  Network  Name）等のいずれかを用いて、同様のＲＡＮ接続制御を実行することができ、同様の作用・効果を奏する。なお、次世代ネットワークの場合、例えば、図１の構成図におけるＭＭＥ３０は共通制御プレーン（Common  Control  Plane）となり、ＨＳＳ６０はＳＤＭ（Subscription  Data  Management）となり、ＳＧＷ４０およびＰＧＷ５０は、CP-SM（Control  Plane-Session  Management）およびユーザプレーン（User  Plane）を含んだコアネットワークとなる。
【００４６】
また、上記実施形態では、ＲＡＮ接続を設定するためのパラメータ情報として、図２に示す無線リソース割当てに関する情報（例えば端末により利用可能な無線通信周波数帯など）を例示し、ＲＡＮ接続における無線リソース割当てを制御する例を説明した。ただし、本発明は、ＲＡＮ接続における無線リソース割当ての制御に限定されるものではなく、ＲＡＮ接続を設定するためのパラメータ情報として、端末がセルラ通信網および非セルラ通信網のうちどちらにＲＡＮ接続するかに関する情報をテーブルに記憶しておき、当該情報を用いて端末がセルラ通信網および非セルラ通信網のうちどちらにＲＡＮ接続するかを制御してもよい。なお、非セルラ通信網とは、セルラ通信網以外の通信網（例えば無線ＬＡＮ（Local  Area  Network）等）を意味し、具体的には、Wi-Fi（登録商標）規格に基づく無線通信網、Massive  IoT（大規模IoT（Internet  of  Things））向けの無線規格であるLoRA（登録商標）規格およびSigfox（登録商標）規格などに基づく無線通信網が含まれる。
【００４７】
以上、本実施形態について詳細に説明したが、当業者にとっては、本実施形態が本明細書中に説明した実施形態に限定されるものではないということは明らかである。本実施形態は、特許請求の範囲の記載により定まる本発明の趣旨及び範囲を逸脱することなく修正及び変更態様として実施することができる。したがって、本明細書の記載は、例示説明を目的とするものであり、本実施形態に対して何ら制限的な意味を有するものではない。
【００４８】
情報の通知は、本明細書で説明した態様／実施形態に限られず、他の方法で行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣコネクションセットアップ（RRC  Connection  Setup）メッセージ、ＲＲＣコネクション再構成（RRC  Connection  Reconfiguration）メッセージなどであってもよい。
【００４９】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００５０】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００５１】
情報等は、上位レイヤ(または下位レイヤ)から下位レイヤ(または上位レイヤ)へ出力され得る。複数のネットワークノードを介して入出力されてもよい。
【００５２】
入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置へ送信されてもよい。
【００５３】
判定は、１ビットで表される値（０か１か）によって行われてもよいし、真偽値（Boolean：trueまたはfalse）によって行われてもよいし、数値の比較（例えば、所定の値との比較）によって行われてもよい。
【００５４】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００５５】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００５６】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００５７】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００５８】
なお、本明細書で説明した用語及び／又は本明細書の理解に必要な用語については、同一の又は類似する意味を有する用語と置き換えてもよい。
【００５９】
本明細書で使用する「システム」および「ネットワーク」という用語は、互換的に使用される。
【００６０】
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【００６１】
上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【００６２】
本実施形態の基地局（ｅＮＢ）は、１つまたは複数の（セクタとも呼ばれる）セルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局ＲＲＨ：Ｒｅｍｏｔｅ  Ｒａｄｉｏ  Ｈｅａｄ）によって通信サービスを提供することもできる。「セル」または「セクタ」という用語は、このカバレッジにおいて通信サービスを行う基地局、および／または基地局サブシステムのカバレッジエリアの一部または全体を指す。さらに、「基地局」「ｅＮＢ」、「セル」、および「セクタ」という用語は、本明細書では互換的に使用され得る。基地局は、固定局（fixed  station）、ＮｏｄｅＢ、アクセスポイント（access  point）、フェムトセル、スモールセルなどの用語で呼ばれる場合もある。
【００６３】
端末（ＵＥ）は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【００６４】
本明細書で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking  up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【００６５】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００６６】
「含む（include）」、「含んでいる（including）」、およびそれらの変形が、本明細書あるいは特許請求の範囲で使用されている限り、これら用語は、用語「備える(comprising)」と同様に、包括的であることが意図される。さらに、本明細書あるいは特許請求の範囲において使用されている用語「または（or）」は、排他的論理和ではないことが意図される。
【００６７】
本明細書において、文脈または技術的に明らかに1つのみしか存在しない装置である場合以外は、複数の装置をも含むものとする。
【符号の説明】
【００６８】
１０…ＵＥ（端末）、２０…ｅＮＢ（基地局）、２０Ａ…プロセッサ、２０Ｂ…メモリ、２０Ｃ…ストレージ、２０Ｄ…通信モジュール、２０Ｅ…入力装置、２０Ｆ…出力装置、２０Ｇ…バス、２１…テーブル、２２…受信部、２３…取得部、２４…決定部、２５…制御部、３０…ＭＭＥ（処理サーバ）、４０…ＳＧＷ、５０…ＰＧＷ、６０…ＨＳＳ。
【図１】
2018131453.tif 000003
【図２】
2018131453.tif 000004
【図３】
2018131453.tif 000005
【図４】
2018131453.tif 000006
【図５】
2018131453.tif 000007
【国際調査報告】
2018131453.tif 000008
2018131453.tif 000009